(57)【要約】【課題】従来とは異なる簡素な構造により、回り止め具の取り付けを従来よりも簡単に行うことが可能、かつ継手部材と回り止め具とを噛み合わせることが可能な回り止め具を提供する。【解決手段】Ｕ字ボルト２２の両端の雄ねじ部２２ａを、ベース部材２４に通して、ナット２５を装着した固定部２１と、そのＵ字ボルト２１のＵ字部２３の外周２３ｂに接合され、先端２６ａがＵ字部２３から軸線Ａｘ２方向に突出したキー部材２６とを備えた回り止め具２０である。【選択図】図１
2011153648.tif 000002
【特許請求の範囲】
【請求項１】
Ｕ字ボルトの両端の雄ねじ部を、ベース部材に通して、ナットを装着した固定部と、
前記Ｕ字ボルトのＵ字部の外周に接合され、先端が前記Ｕ字部から軸線方向に突出したキー部材と、
を備えたことを特徴とする回り止め具。
【請求項２】
前記Ｕ字ボルトの前記Ｕ字部の内周、及び前記ベース部材の前記Ｕ字部と対向する部分の少なくともいずれか一方には、前記Ｕ字部の曲率中心側に突出する係止部材が設けられていることを特徴とする請求項１に記載の回り止め具。
【請求項３】
請求項１又は２に記載の回り止め具と、一対の配管を互いに接続するようにして該一対の配管同士の間に配置され、かつ外周面には軸線方向に延びるキー溝部が設けられた継手部材と、を備え、
前記一対の配管のうちいずれか一方の配管には、前記Ｕ字ボルト及び前記ベース部材にて当該一方の配管が挟み込まれるように、かつ当該Ｕ字ボルトの前記キー部材が前記継手部材の前記キー溝部と噛み合うようにして、前記固定部が固定されていることを特徴とする回り止め構造。
【請求項４】
前記一対の配管のうち、前記一方の配管又は他方の配管が所定の設置面上に設置された機械に接続され、
前記機械を前記設置面に対する反対側から当該設置面に向かって見たときに、前記継手部材が前記機械と重なり合うように配置されていることを特徴とする請求項３に記載の回り止め構造。
【請求項５】
前記機械は、遠心分離機であることを特徴とする請求項４に記載の回り止め構造。
【発明の詳細な説明】
【技術分野】
【０００１】
本発明は、固定部を備えた回り止め具及び回り止め構造に関する。
【背景技術】
【０００２】
配管の接続端部に回り止め具を固定し、この配管の接続端部と被接続管の接続端部とを継手部材を介して接続した後に、継手部材の凹部と回り止め具の凸部とを互いに噛み合わせた回り止め具が知られている（特許文献１参照）。
【先行技術文献】
【特許文献】
【０００３】
【特許文献１】実開昭６４−１５８９０号公報
【発明の概要】
【発明が解決しようとする課題】
【０００４】
特許文献１の回り止め具においては、配管と被接続管とを接続する前に、回り止め具を配管に固定しなければならない。そして、配管と被接続管とを接続した後に、凹部と凸部とを互いに噛み合わせるため、回り止め具の取り付けが繁雑である。
【０００５】
そこで、本発明は、従来とは異なる簡素な構造により、回り止め具の取り付けを従来よりも簡単に行うことが可能、かつ継手部材と回り止め具とを噛み合わせることが可能な回り止め具及び回り止め構造を提供することを目的とする。
【課題を解決するための手段】
【０００６】
本発明の回り止め具（２０）は、Ｕ字ボルト（２２）の両端の雄ねじ部（２２ａ）を、ベース部材（２４）に通して、ナット（２５）を装着した固定部（２１）と、前記Ｕ字ボルトのＵ字部（２３）の外周（２３ｂ）に接合され、先端（２６ａ）が前記Ｕ字部から軸線（Ａｘ２）方向に突出したキー部材（２６）と、を備えたものである。
【０００７】
本発明の回り止め具によれば、配管又は鉄棒等同士を継手部材にて接続した後に、回り止め具を取り付けるため、その取り付けを従来よりも簡単に行うことができる。また、キー部材と継手部材とを噛み合わせることができる。
【０００８】
本発明の回り止め具の一形態において、前記Ｕ字ボルトの前記Ｕ字部の内周（２３ａ）、及び前記ベース部材の前記Ｕ字部と対向する部分の少なくともいずれか一方には、前記Ｕ字部の曲率中心側に突出する係止部材（３０、３１）が設けられていてもよい。この形態によれば、配管等に回り止め具を固定した場合、係止部材により、回り止め具とその配管等との間に生じる隙間を係止部材で埋めて接触部分を多くすることができる。そのため、係止部材と配管等との間の摩擦による拘束力を高めることができる。これにより、回り止め具がずれたり緩んだりすることを抑制できる。
【０００９】
本発明の回り止め構造は、上述した回り止め具（２０）と、一対の配管（２、３）を互いに接続するようにして該一対の配管同士の間に配置され、かつ外周面（１ａ）には軸線（Ａｘ１）方向に延びるキー溝部（１２）が設けられた継手部材（１）と、を備え、前記一対の配管のうちいずれか一方の配管には、前記Ｕ字ボルト及び前記ベース部材にて当該一方の配管が挟み込まれるように、かつ当該Ｕ字ボルトの前記キー部材が前記継手部材の前記キー溝部と噛み合うようにして、前記固定部が固定されているものである。
【００１０】
本発明の回り止め構造によれば、配管同士を継手部材にて接続した後に、回り止め具を取り付けるため、その取り付けを従来よりも簡単に行うことができる。継手部材のキー溝部にキー部材を噛み合わせることができる。固定部を配管に固定することができる。これにより、継手部材を回転不能に固定することができる。
【００１１】
本発明の回り止め構造の一形態においては、前記一対の配管のうち、前記一方の配管又は他方の配管が所定の設置面上に設置された機械に接続され、前記機械を前記設置面に対する反対側から当該設置面に向かって見たときに、前記継手部材が前記機械と重なり合うように配置されていてもよい。機械を設置面の反対側から設置面に向かって見たときに、継手部材がその機械と重なり合っている場合には、機械が邪魔になって継手部材の近傍に、壁、柱その他の構造物を配置し難く、その種の構造物を利用した回り止めが困難な状況となり得る。しかし、本発明の回り止め具を利用すれば、配管そのものを回り止め具の取り付け相手として利用して回り止め作用を完結させることができるので、壁等の構造物から離れた場所で配管が継手部材で接続される場合でも、その継手部材を容易かつ確実に回り止めすることができる。
【００１２】
本発明の回り止め構造の一形態においては、前記配管の他端は、遠心分離機（１００）と接続されていてもよい。この形態によれば、継手部材のキー溝部と回り止め具のキー部材とが噛み合っている。また、固定部が配管に固定されている。そのため、キー部材により継手部材を抑えることができる。これにより、遠心分離機の振動によって、継手部材が緩むのを抑制することができる。
【００１３】
なお、以上の説明では本発明の理解を容易にするために添付図面の参照符号を括弧書きにて付記したが、それにより本発明が図示の形態に限定されるものではない。
【発明の効果】
【００１４】
以上説明したように、本発明の回り止め具においては、配管又は鉄棒等同士を継手部材にて接続した後に、回り止め具を取り付けるため、その取り付けを従来よりも簡単に行うことができる。また、キー部材と継手部材とを噛み合わせることができる。
【図面の簡単な説明】
【００１５】
【図１】継手部材のキー溝部に回り止め具のキー部材が噛み合っているときの正面図。
【図２】継手部材のキー溝部に回り止め具のキー部材が噛み合っているときの上方斜視図。
【図３】継手部材のキー溝部に回り止め具のキー部材が噛み合っているときの下方斜視図。
【図４】継手部材のキー溝部に回り止め具のキー部材が噛み合っているときのナット側の様子を示す図。
【図５】遠心分離機と接続された第１配管及び第２配管を継手部材にて接続し、回り止め具を取り付けた様子を示す図。
【図６】第１配管及び第２配管の両端を示す図。
【図７】第２配管に継手部材を締め付けた様子を示す図。
【図８】回り止め具の一部を示す正面図。
【図９】回り止め具の一部を示す側面図。
【図１０】キー部材の一形態を示す正面図。
【図１１】キー部材の一形態を示す側面図。
【図１２】ベース部材の一形態を示す正面図。
【発明を実施するための形態】
【００１６】
図１から図４までは、本発明の一形態に係る継手部材のキー溝部に回り止め具のキー部材が噛み合っているときの様子を示している。図１から図４までに示すように、継手部材１は、第１配管２と第２配管３とを接続するためにこれら一対の配管２、３同士の間に配置される。図５に示すように、第１配管２は、例えば振動する機械としての遠心分離機１００に接続されている。そして、第２配管３又は第２配管３にさらに接続された配管の先は、例えば不図示のタンクに接続されている。遠心分離機１００は、例えばビールの製造過程において酵母を沈殿させるために使用される。酵母が取り出されたビールは、第１配管２と第２配管３とを通って不図示のタンクに運ばれる。また、図６に示すように、例えば、第１配管２の端には周知のねじと同様な螺旋状の溝２ａが形成され、第２配管３の端にはつば部３ａが形成されている。
【００１７】
図１から図４までに示すように、継手部材１は、リング状に形成され、上述したように第１配管２と第２配管３とを接続する。継手部材１の外周面１ａは、その継手部材１の周方向の両端部１０から中央部１１に向かって盛り上がっている。なお、中央部１１が頂点となるように、一端部１０から他端部１０に向かって湾曲させてもよい。また、当該外周面１ａには、軸線Ａｘ１方向に延びるキー溝部１２が形成されている。キー溝部１２は一つだけ形成されてもよいが、図１から図４までに示すようにキー溝部１２が当該外周面１ａに複数形成されていてもよい。継手部材１の内周面１ｂには、第１配管２及び第２配管３に回転することができるように、周知のねじと同様な螺旋状の溝１３が形成されている。この継手部材１によって第１配管２と第２配管３とを接続するには、まず継手部材１により第２配管３のつば部３ａを締め付ける。そうすると、図７に示すように雌ねじ部１４が形成される。次に、第１配管２の一端に形成されている螺旋状の溝（雄ねじ部）２ａに、この雌ねじ部１４を接続する。このとき、例えば、継手部材１を図７の矢印Ａの下方向に回すことにより、配管同士２，３を接続する。このように、継手部材１が第１配管２の一端と第２配管３の端とに取り付けられ、継手部材１によって第１配管２と第２配管３とを接続することができる。なお、矢印Ａの上方向に回すことにより、配管同士２，３を接続できてもよい。
【００１８】
図１から図４までに示すように、回り止め具２０は、固定部２１と、キー部材２６とを備えている。また、図８及び図９は本発明の一形態に係る回り止め具２０の一部を示し、図１０及び図１１はキー部材２６の一形態を示し、図１２はベース部材２４の一形態を示している。固定部２１は、両端に雄ねじ部２２ａを有するＵ字ボルト２２と、その両端の雄ねじ部２２ａを通すことのできる２つの孔２４ａを有するベース部材２４と、両端の雄ねじ部２２ａに装着する２つのナット２５とを備えている。その固定部２１を第１配管２に固定するには、Ｕ字ボルト２２がその第１配管２に取り付けられ、このＵ字ボルト２２の両端の雄ねじ部２２ａを、ベース部材２４に通して、その両端の雄ねじ部２２ａにナット２５を装着する。これにより、Ｕ字ボルト２２及びベース部材２４にて第１配管２を挟んで固定部２１を第１配管２に固定することができる。キー部材２６は、例えば金属を利用して製造され、Ｕ字ボルト２２のＵ字部２３の外周２３ｂに接合され、キー部材２６の先端２６ａがＵ字部２３から軸線Ａｘ２方向に突出している。金属のキー部材２６とＵ字ボルト２２とは溶接により接合されている。キー部材２６は、図１から図３までに示すように直方体形状であってもよいし、図１０及び図１１に示すように直方体の一部が欠けたような形状であってもよい。
【００１９】
次に、継手部材１と回り止め具２０との関係（回り止め構造）について説明する。上述したように、継手部材１により第１配管２と第２配管３とを接続した後に、その継手部材１の軸線Ａｘ１方向から複数のキー溝部１２のいずれか一つのキー溝部１２に、回り止め具２０のキー部材２６を噛み合わせる。そして、上述したように、固定部２１を第１配管２に固定する。このように、継手部材１と回り止め具２０とは関係する。なお、キー溝部１２が一つだけ形成されている場合には、そのキー溝部１２にキー部材２６を噛み合わせる。
【００２０】
以上の形態によれば、第１配管２と第２配管３とを継手部材１にて接続した後に、回り止め具２０を取り付けるため、その取り付けを従来よりも簡単に行うことができる。また、継手部材１の複数のキー溝部１２のいずれか一つのキー溝部１２にキー部材２６を噛み合わせることができる。そして、固定部２１を第１配管２に固定することができる。そのため、キー部材２６により継手部材１を抑えることができる。これにより、遠心分離機１００の振動によって、継手部材１が緩むのを抑制することができる。また、キー溝部１２が複数の場合にはキー部材２６を噛み合わせるキー溝部１２を選択することができるので、キー溝部１２が一つの場合と比較して複数の場合の方が、容易にキー部材２６をそのキー溝部１２に噛み合わせることができる。なお、この形態では、第１配管２に固定部２１が取り付けられるので、第１配管２が本発明の一方の配管に相当し、第２配管３が本発明の他方の配管に相当する。
【００２１】
本発明は、上述した形態に限定されることなく、種々の形態にて実施することができる。図２、図３及び図８に示すように、回り止め具２０には、第１係止部材３０が設けられてもよい。第１係止部材３０は、例えば金属を利用して製造され、Ｕ字部２３の内周２３ａに設けられている。また、第１係止部材３０は、Ｕ字部２３と第１配管２との隙間を埋めて接触部分を多くするように、Ｕ字部２３の曲率中心Ｒｃ（図８参照）側に突出している。金属の第１係止部材３０とＵ字ボルト２２とは、例えば溶接により接合されている。
【００２２】
また、図１２に示すように、回り止め具２０には、第２係止部材３１が設けられてもよい。第２係止部材３１は、例えば金属を利用して製造され、ベース部材２４のＵ字部２３と対向する部分に設けられている。また、第２係止部材３１は、ベース部材２４と第１配管２との隙間を埋めるように、Ｕ字部２３の曲率中心Ｒｃ側に突出している。例えば、図１２に示すように、第２係止部材３１は、ベース部材２４の２つの孔２４ａの間に、ベース部材２４と第１配管２との隙間を埋めて接触部分を多くするように設けられている。その他、第１配管２と接触するベース部材２４の部分のみに第２係止部材３１を設けてもよいし、ベース部材２４の第１配管２側の全体に第２係止部材３１を設けてもよい。金属の第２係止部材３１とベース部材２４とは、例えば溶接により接合されている。
【００２３】
このように、第１係止部材３０又は第２係止部材３１を設けることにより回り止め具２０と第１配管２との間に生じる隙間を埋めて接触部分を多くすることができる。そのため、第１係止部材３０又は第２係止部材３１と第１配管２との間の摩擦による拘束力を高めることができる。これにより、遠心分離機１００の振動によって、回り止め具２０がずれたり緩んだりすることを抑制することができるとともに、継手部材１が緩むことを抑制できる。
【００２４】
また、第１係止部材３０及び第２係止部材３１は、第１配管２の形状に沿うように変形させてもよい。これにより、回り止め具２０と第１配管２との間に生じる隙間をほぼ完全に埋めることができる。そのため、変形させない場合と比較して変形させた場合の方が、回り止め具２０と第１配管２との間に生じる隙間を確実に埋めて接触部分を多くすることができる。これにより、第１係止部材３０及び第２係止部材３１と第１配管２との間の摩擦による拘束力を高めることができる。また、第１係止部材３０及び第２係止部材３１は、上述したように片方のみを設けてもよいし、第１係止部材３０及び第２係止部材３１の両方を設けてもよい。片方のみを設けた場合と比較して両方を設けた場合の方が、回り止め具２０と第１配管２との間に生じる隙間を確実に埋めて接触部分を多くすることができる。これにより、第１係止部材３０及び第２係止部材３１と第１配管２との間の摩擦による拘束力を高めることができる。このように、第１係止部材３０及び第２係止部材３１を変形させたり、第１係止部材３０及び第２係止部材３１の両方を設けたりすることにより、遠心分離機１００の振動によって、回り止め具２０がずれたり緩んだりすることを抑制することができるとともに、継手部材１が緩むことを抑制できる。
【００２５】
継手部材１の複数のキー溝部１２及び回り止め具２０のキー部材２６は、上述した形態に限られない。例えば、キー部材２６は、図１から図３までに示すような直方体形状でなく、立方体形状でもよい。複数のキー溝部１２の形状は、キー部材２６の形状と噛み合わせることができればよい。回り止め具２０のナット２５自体に、緩み防止機能が付けられてもよい。これにより、遠心分離機１００の振動によって、ナット２５が緩むのを抑制することができる。また、継手部材１の内周面１ｂ、第１配管２の端及び第２配管３の端は、上述した形態に限られない。それらの形態は、継手部材１が回転することにより、第１配管２と第２配管３とを接続することができればよい。上述した形態では、固定部２１は、第１配管２に固定したが、第２配管３に固定してもよい。本発明の回り止め具２０は、配管に限らず、鉄棒等を接続している継手部材１を回転不能に固定してもよい。第１配管２を雄ねじ部、第２配管３を雌ねじ部としたが、第１配管２を雌ねじ部、第２配管３を雄ねじ部としてもよい。さらに、既に本発明の継手部材１にて第１配管２及び第２配管３を接続した場合であっても、その継手部材１を回転不能に固定したい場合には、随時、本発明の回り止め具２０を取り付けることができる。
【００２６】
図５は、遠心分離機と接続された第１配管及び第２配管を本発明の一形態に係る継手部材にて接続し、本発明の一形態に係る回り止め具を取り付けた様子を示している。図５に示すように、所定の機械としての遠心分離機１００には、第１配管２の他端が接続されている。第１配管２と第２配管３とを接続する継手部材１と、回り止め具２０とは、上述した形態と同様であるため、説明を省略する。遠心分離機１００は、床面（不図示）に設置されている。第１配管２は遠心分離機１００の上部に接続され、継手部材１は遠心分離機１００の上方に位置している。図中に矢印Ｂで示すように、遠心分離機１００をその設置面である床面とは反対側（つまり、上側）から床面に向かって見たときに、接続部材１は、遠心分離機１００と重なり合うように配置されている。そのため、遠心分離機１００が邪魔になって継手部材１の近傍に壁、柱その他の構造物を配置し難く、その種の構造物を利用した継手部材１の回り止めが困難な状況である。この場合でも、第１配管２そのものを回り止め具２０の取り付け相手として利用しつつ、その回り止め具２０により、第１配管２及び第２配管３を接続した継手部材１を回転不能に固定することができる。なお、本発明が適用される機械は床面に設置される機械に限定されない。本発明は、配管の他端が接続された機械であり、かつその機械を設置面に対する反対側から設置面に向かって見たときに配管の一端に設けられている継手部材が機械と重なり合うように配置されている種々の機械に適用してよい。例えば、壁面に設置されている機械であり、かつその機械を壁面に対する反対側からその壁面に向かって見たときに継手部材が機械と重なりあうように配置されている機械に適用してもよい。また、所定の機械は遠心分離機１００に限られず、配管を接続することができ、かつ、上述した形態を適用することができる機械であればよい。そのため、遠心分離機１００のような振動する機械に限らず、所定の機械は振動しない機械でもよい。例えば、所定の機械として、脱水機、ボイラー、ろ過器などであってもよい。
【００２７】
また、振動する機械は遠心分離機１００に限らず、上述した形態を適用することができる機械であればよい。例えば、振動する機械として、脱水機などであってもよい。さらに、第２配管３に接続されるものとしては、不図示のタンクに限られず、上述した形態を適用することができるものであればよい。
【符号の説明】
【００２８】
１  継手部材
２  第１配管（一方の配管）
３  第２配管（他方の配管）
１２  キー溝部
２０  回り止め具
２１  固定部
２２  Ｕ字ボルト
２２ａ  雄ねじ部
２３  Ｕ字部
２３ａ  内周
２３ｂ  外周
２４  ベース部材
２４ａ  孔
２５  ナット
２６  キー部材
３０  第１係止部材
３１  第２係止部材
１００  遠心分離機
Ａｘ１  軸線
Ａｘ２  軸線
【図１】
2011153648.tif 000003
【図２】
2011153648.tif 000004
【図３】
2011153648.tif 000005
【図４】
2011153648.tif 000006
【図５】
2011153648.tif 000007
【図６】
2011153648.tif 000008
【図７】
2011153648.tif 000009
【図８】
2011153648.tif 000010
【図９】
2011153648.tif 000011
【図１０】
2011153648.tif 000012
【図１１】
2011153648.tif 000013
【図１２】
2011153648.tif 000014